(57)【要約】【課題】  側面に凹段部を設けた衛生陶器において、側面を伝わり落ちてきた液体が凹段部よりも下方に伝わり流れることがなく、しかも凹段部から滴下することもない衛生陶器を提供する。【解決手段】  施釉された陶器製の洋風便器１の側面の下部に凹段部３設けられている。この凹段部３は、側面２から凹段部の天井面に回り込む凸に湾曲した凸湾曲部３ａと、該凸湾曲部３ａに引き続いている該傾斜面３ｂと、該天井面と凹段部の奥壁面との交叉隅部を構成する凹湾曲面３ｃと、該奥壁面３ｄとで構成されている。側面２に付着した小水などの液は、該側面２を伝わり流れ、凹段部３に達する。この液は、凸湾曲部３ａを回り込んで傾斜面３ｂに達し、該傾斜面３ｂを凹湾曲部３ｃに向って流れ、この間に蒸発して乾燥する。【選択図】図１
2007277914.tif 000002
【特許請求の範囲】
【請求項１】
側面の下部に凹段部を設けた衛生陶器において、
該凹段部の天井面は、該凹段部の入口側から凹段部の奥に向って傾斜角７°以下の下り勾配の傾斜面を有しており、該傾斜面の入口側から奥側への幅が２５ｍｍ以上であることを特徴とする衛生陶器。
【請求項２】
請求項１において、該凹段部の奥壁面と前記天井面との交叉隅部は、凹曲面となっていることを特徴とする衛生陶器。
【請求項３】
請求項１又は２において、前記凹段部の直上の前記側面と前記天井面との交叉部は凸曲面となっており、該側面は該凸曲面のみを介して該天井面の前記傾斜面に連なっていることを特徴とする衛生陶器。
【請求項４】
請求項１ないし３のいずれか１項において、前記衛生陶器は便器、洗面器又は手洗器であることを特徴とする衛生陶器。
【請求項５】
請求項１ないし４のいずれか１項において、施釉された陶器製であることを特徴とする衛生陶器。
【発明の詳細な説明】
【技術分野】
【０００１】
本発明は、洋風便器、小便器、洗面器、手洗器などの衛生陶器に係り、特に側面を伝わって流れ落ちる液がトイレルームや洗面室の床にまで伝わり落ちないようにするための凹段部が該側面に設けられた衛生陶器に関する。
【背景技術】
【０００２】
洋風便器の側面に尿の飛沫が掛かり、これがトイレルームの床面にまで伝わり落ちると、洋風便器の底面と床面との間に染み込み、拭いても取れない臭気源となる。
【０００３】
特開２００２−３２２７１８号の図５には、洋風便器のスカート部の下部に凹段部を設け、この凹段部の入口部に水切り突部を下方に向って突設した洋風便器が記載されている。凹段部よりも上側の側面を伝わり流れてきた汚水は、この水切り突部から下方に滴下するため、洋風便器の底面とトイレルームの床面との間に染み込まない。
【０００４】
実公平７−２５１０５号の図４には、洗面ボウルの前縁部の下縁に同様の水切り用の突部を下方に向って突設することが記載されている。洗面ボウルの外面を伝わり落ちてきた水は、この突部から下方に滴下する。
【特許文献１】特開２００２−３２２７１８号
【特許文献２】実公平７−２５１０５号
【発明の開示】
【発明が解決しようとする課題】
【０００５】
上記従来技術では、上方から洋風便器や洗面ボウルの外面を伝わり流れてきた水が部屋の床面に滴下し、床を汚すことになる。
【０００６】
本発明は、側面に凹段部を設けた衛生陶器において、側面を伝わり落ちてきた液体が凹段部よりも下方に伝わり流れることがなく、しかも凹段部から滴下することもない衛生陶器を提供することを目的とする。
【課題を解決するための手段】
【０００７】
請求項１の衛生陶器は、側面の下部に凹段部を設けた衛生陶器において、該凹段部の天井面は、該凹段部の入口側から凹段部の奥に向って傾斜角７°以下の下り勾配の傾斜面を有しており、該傾斜面の入口側から奥側への幅が２５ｍｍ以上であることを特徴とするものである。
【０００８】
請求項２の衛生陶器は、請求項１において、該凹段部の奥壁面と前記天井面との交叉隅部は、凹曲面となっていることを特徴とするものである。
【０００９】
請求項３の衛生陶器は、請求項１又は２において、前記凹段部の直上の前記側面と前記天井面との交叉部は凸曲面となっており、該側面は該凸曲面のみを介して該天井面の前記傾斜面に連なっていることを特徴とするものである。
【００１０】
請求項４の衛生陶器は、請求項１ないし３のいずれか１項において、前記衛生陶器は便器、洗面器又は手洗器であることを特徴とするものである。
【００１１】
請求項５の衛生陶器は、請求項１ないし４のいずれか１項において、施釉された陶器製であることを特徴とするものである。
【発明の効果】
【００１２】
本発明の衛生陶器にあっては、その側面を伝わり落ちてきた液体が該側面から凹段部の天井面に伝わって回り込む。この天井面は、奥に向って７°以下と緩く傾斜した傾斜面となっており、しかもこの傾斜面は２５ｍｍ以上の十分な幅を有している。このため、側面から凹段部天井面に回り込んできた液は、この傾斜面をゆっくりと伝わりながら奥に向って移動し、この間に液が蒸発して乾燥する。
【００１３】
この結果、液が凹段部の奥壁面にまで達することがなく、該奥壁面を伝って液がさらに下方にまで伝わり落ちることが防止される。
【００１４】
本発明では、このように凹段部の天井面において液が蒸発乾固するので、この天井面は適宜拭き掃除されることが望ましい。凹段部の天井面と奥壁面との交叉隅部を凹曲面としておくと、この交叉隅部まで十分に拭き掃除することができ、天井面の汚れを隅々まで容易に除去することができる。
【００１５】
この交叉隅部の曲率半径は５ｍｍ以上であることが好ましい。
【００１６】
本発明では、凹段部の直上の衛生陶器側面と凹段部天井面との交叉部は、凸曲面となっており、該側面は該凸曲面のみを介して該天井面の前記傾斜面に連なっている構成としてもよい。このように構成することにより、凹段部よりも上方の側面から伝わり流れてきた液が天井面に確実に回り込むようになる。この凸曲面の曲率半径が大きくなると、該上方の側面から伝わってきた液が該天井面に伝わり易くなる。具体的には、この凸曲面の曲率半径は３ｍｍ以上であることが好ましい。
【００１７】
本発明の衛生陶器は、施釉された陶器製であることが好ましい。このように施釉されていると、液が衛生陶器に染み込むことが防止される。なお、上記のように天井面は傾斜面としているので釉薬がかかりやすく、さらに凹段部の天井面と奥壁面との交叉隅部を曲率半径の大きい凹曲面とした場合、この交叉隅部にも十分に釉が掛かるようになり、交叉隅部でも汚水の染み込みが確実に防止される。
【発明を実施するための最良の形態】
【００１８】
以下、図面を参照して実施の形態について説明する。第１図は実施の形態に係る洋風便器を示すものであり、（ａ）図は斜視図、（ｂ）図は（ａ）図のＢ−Ｂ線断面図、（ｃ）図は（ｂ）図の拡大図である。
【００１９】
施釉された陶器製の洋風便器１は、前方及び左右側方の側面の下部に凹段部３設けられている。この凹段部３は、側面２から凹段部の天井面に回り込む凸に湾曲した凸湾曲部３ａと、該凸湾曲部３ａに引き続いている該傾斜面３ｂと、該天井面と凹段部の奥壁面との交叉隅部を構成する凹湾曲面３ｃと、該奥壁面３ｄとで構成されている。奥壁面３ｄの下部は、洋風便器１の下端にまで達している。
【００２０】
この実施の形態では、この傾斜面３ｂによって凹段部３の天井面が構成されている。
【００２１】
この傾斜面３ｂは、凸湾曲部３ａから凹湾曲部３ｃに向って下り勾配であり、且つ水平面に対する傾斜角度θが７°以下、好ましくは１〜７°、特に好ましくは２〜５°である。本発明では、この傾斜角度が７°以下である範囲が傾斜面３ｂとして定義される。
【００２２】
傾斜面３ｂの幅（凸湾曲部３ａから凹湾曲部３ｃに向う方向の水平方向の長さ）Ｌは２５ｍｍ以上、例えば２５〜５０ｍｍ好ましくは３０〜４０ｍｍである。
【００２３】
凸湾曲部３ａの曲率半径Ｒ１は好ましくは３〜１０ｍｍである。凹湾曲部３ｂの曲率半径Ｒ２は好ましくは５〜１０ｍｍである。
【００２４】
なお、第１図の符号４は便鉢、５は便座取付ボルトの通し孔を示す。
【００２５】
このように構成された洋風便器１においては、側面２に付着した小水などの液は、該側面２を伝わり流れ、凹段部３に達する。この液は、凸湾曲部３ａを回り込んで傾斜面３ｂに達し、該傾斜面３ｂを凹湾曲部３ｃに向ってゆっくりと流れる。この傾斜面３ｂが２５ｍｍ以上の幅Ｌを有し、しかも傾斜角度が７°以下と緩い傾斜となっているため、水滴となりにくく、傾斜面３ｂに達した液はゆっくりと凹湾曲部３ｃに向って伝わり流れ、この間に蒸発して乾燥する。
【００２６】
この結果、液が凹段部３の奥壁面３ｄにまで達することがなく、該奥壁面３ｄを伝って液がさらに下方にまで伝わり落ちることが防止される。
【００２７】
この実施の形態では、このように凹段部の傾斜面３ｂにおいて液が蒸発乾固するので、この傾斜面３ｂは適宜拭き掃除されることが望ましい。この実施の形態では、凹段部の傾斜面３ｂと奥壁面３ｄとの交叉隅部が凹湾曲面３ｃとなっているので、この交叉隅部まで十分に拭き掃除することができ、凹段部３の天井面の汚れを隅々まで容易に除去し、臭気源となることを防止することができる。
【００２８】
なお、第２図の凹段部３’のように、凹湾曲部３ｃの曲率半径を大きくするほど、この交叉隅部の清掃が容易となる。ただし、この凹湾曲部３ｃの曲率半径を大きくすると、奥壁面３ｄが過度に後退することになる。このため、曲率半径Ｒ２は１０ｍｍ以下にすることが望ましい。
【００２９】
また、傾斜面３ｂのトイレルーム床面からの高さは１５ｍｍ以上であることが、清掃し易く、好ましい。ただし、傾斜面３ｂが過度に高位置であると、洋風便器１の美観を損うおそれがあり、また、男子小水が凹段部３内に直に掛かるおそれも出てくるので、傾斜面３ｂのトイレルーム床面からの高さは１００ｍｍ以下とするのが好ましい。
【００３０】
この実施の形態では、凸湾曲部３ａの曲率半径を１０ｍｍ以上と大きくしているため、凹段部３よりも上方の側面２から伝わり流れてきた液が凸湾曲部３ａを確実に回り込んで傾斜面３ｂに達する。即ち、側面２を伝わってきた液が、凹段部３内に伝わらずにそのままトイレルーム床面に滴下することが防止される。
【００３１】
この実施の形態では、洋風便器１は施釉されているため、液が衛生陶器に染み込むことが防止される。なお、上記のように凹湾曲部３ｃの曲率半径を大きくすることにより、この凹湾曲部３ｃにも十分に釉が掛かるようになり、該凹湾曲部３ｃでも汚水の染み込みが確実に防止される。
【００３２】
なお、第１図では凹段部３は洋風便器１の後部側面にまで延設されているが、前部側の下部にのみ設けられてもよい。
【００３３】
上記実施の形態は洋風便器に係るものであるが、本発明は第３図に示す小便器や、第４図に示す洗面器などにも適用できる。また、図示は省略するが手洗器などにも適用できる。
【００３４】
第３図（ａ）、（ｂ）の施釉された陶器製小便器１０では、下部に凹段部１１が設けられている。拡大した図示は省略するが、この凹段部１１も第１図（ｃ）と同様に、小便器１１の側面１２に連なる凸湾曲部と、それに引き続く傾斜面と、該傾斜面に引き続く凹湾曲部と、奥壁面とを備えている。
【００３５】
この傾斜面の傾斜角度や幅、凸湾曲部及び凹湾曲部の曲率半径の好適な範囲は第１図の場合と同様である。この実施の形態においても、凹段部１１を設けたことにより、第１図の場合と同様に、小便器１０の側面１２に掛った小水などが側面１２から凹段部１１に回り込んで蒸発するようになる。そして、側面１２からトイレルームの床面に直に落下することが防止される。
【００３６】
第４図（ａ）は洗面器２２を備えた洗面キャビネット１０の斜視図、第４図（ｂ）は第４図（ａ）のＢ−Ｂ断面図、第４図（ｃ）は凹段部の拡大断面図である。
【００３７】
この洗面キャビネット１０は、キャビネット本体２１と、該キャビネット本体２１の上面部に設置された施釉された陶器製の洗面器２２とを有する。キャビネット本体２１の前面には開閉式の扉２４が設けられている。この扉２４の上側は幕前板２３となっている。洗面器２２の前縁側は、上方ほどせり出す膨出部となっている。この膨出部の下部に凹段部２５が設けられている。この凹段部２５は、洗面器２２の下縁部の略鉛直な前側面２２ａから後方に後退している。
【００３８】
この凹段部２５は、前側面２２ａに連なる凸湾曲部２５ａと、該凸湾曲部２５ａに連なる傾斜面２５ｂと、該傾斜面２５ｂに連なる凹湾曲部２５ｃと、この凹湾曲部２５ｃに連なる奥壁面２５ｄとからなる。奥壁面２５ｄは幕前板２３に接している。
【００３９】
傾斜面２５ｂは、奥に向って下り勾配であり、その水平面に対する傾斜角度θは７°以下である。傾斜角度θ、凸湾曲部２５ａ及び凹湾曲部２５ｂの曲率半径、傾斜面２５ｂの幅Ｌの好ましい範囲はいずれも第１図の場合と同様である。
【００４０】
なお、前側面２２ａの前面は、扉２４の前面と面一か、それよりも若干前方に位置している。
【００４１】
この実施の形態でも、洗面器２２の前面を伝わってきた水は凸湾曲部２５ａから傾斜面２５ｂに回り込み、奥壁面２５ｄに向ってゆっくりと伝わり流れ、この間に蒸発する。このため、洗面室の床に直に落下したり、扉２４の前面に掛ったりすることが防止される。
【００４２】
上記実施の形態はいずれも本発明の一例であり、本発明は図示以外の形態をもとりうる。例えば、洋風便器や小便器の外観形状は図示以外とされてもよい。
【図面の簡単な説明】
【００４３】
【図１】実施の形態に係る洋風便器を示すものであり、（ａ）図は斜視図、（ｂ）図は（ａ）図のＢ−Ｂ線断面図、(ｃ)図は(ｂ)図の拡大図である。
【図２】別の実施の形態に係る凹段部の断面図である。
【図３】実施の形態に係る小便器の側面図と正面図である。
【図４】実施の形態に係る洗面キャビネットの構成図である。
【符号の説明】
【００４４】
１  洋風便器
２  側面
３  凹段部
３ａ  凸湾曲部
３ｂ  傾斜面
３ｃ  凹湾曲部
３ｄ  奥壁面
１０  小便器
１１  凹段部
２０  洗面キャビネット
２２  洗面器
２３  幕前板
２４  扉
２５  凹段部
２５ａ  凸湾曲部
２５ｂ  傾斜面
２５ｃ  凹湾曲部
２５ｄ  奥壁面
【図１】
2007277914.tif 000003
【図２】
2007277914.tif 000004
【図３】
2007277914.tif 000005
【図４】
2007277914.tif 000006